(57)【要約】【課題】結束バンドによるケーブル類の締め付けが過度に強くなった場合であってもケーブル類を傷つけることが無く、結束バンド切断時においてもケーブル類を傷つける虞の無いケーブルガードスペーサを提供する。【解決手段】結束対象となるケーブル束と前記ケーブルを結束する結束バンドとの間に配置されてケーブルの表皮を保護すると共に、前記ケーブル束の結束状態に沿って湾曲する板片１２から成り、板片１２に少なくとも１つ、結束バンドのバンド部分を挿通させるための挿通孔を設けたことを特徴とする。このような特徴を有するケーブルガードスペーサ１０では、板片１２に設ける挿通孔を２つとし、２つの挿通孔１４ａ，１４ｂを板片１２の長手方向中心線に沿って直列に配置することが望ましい。【選択図】図１
2011050139.tif 000002
【特許請求の範囲】
【請求項１】
結束対象となるケーブル束と前記ケーブルを結束する結束バンドとの間に配置されてケーブルの表皮を保護すると共に、前記ケーブル束の結束状態に沿って湾曲する板片から成り、
前記板片に少なくとも１つ、前記結束バンドのバンド部分を挿通させるための挿通孔を設けたことを特徴とするケーブルガードスペーサ。
【請求項２】
前記板片に設ける挿通孔を２つとし、当該２つの挿通孔を前記板片の長手方向中心線に沿って直列に配置したことを特徴とする請求項１に記載のケーブルガードスペーサ。
【請求項３】
前記板片に設ける挿通孔を３つ以上とし、隣り合う前記挿通孔間には予め定められた間隔を設け、複数の前記挿通孔は前記板片の長手方向中心線に沿って直列に配置したことを特徴とする請求項１に記載のケーブルガードスペーサ。
【請求項４】
バンド部分と前記バンドの一端に設けられたバンド通し孔部を有する結束バンドであって、
前記バンド通し孔部または前記バンド部分の延線上に板片を設け、
前記板片に少なくとも１つ、前記結束バンドのバンド部分を挿通させるための挿通孔を設けたことを特徴とする結束バンド。
【請求項５】
前記板片に設ける挿通孔を２つとし、当該２つの挿通孔を前記板片の長手方向中心線に沿って直列に配置したことを特徴とする請求項４に記載の結束バンド。
【請求項６】
前記板片に設ける挿通孔を３つ以上とし、隣り合う前記挿通孔間には予め定められた間隔を設け、複数の前記挿通孔は前記板片の長手方向中心線に沿って直列に配置したことを特徴とする請求項４に記載の結束バンド。
【請求項７】
前記板片と前記バンド通し孔部または前記バンド部分との接合部には切り離し部が形成されていることを特徴とする請求項４乃至請求項６のいずれか１に記載の結束バンド。
【請求項８】
バンド部分と前記バンドの一端に設けられたバンド通し孔部を有する結束バンドによりケーブル束を結束する方法であって、
結束対象とするケーブル束と結束バンドとの間に板片を介在させ、
前記板片に設けられた挿通孔に前記結束バンドにおける前記バンド部分を挿通させた状態で前記バンド部分を前記バンド通し孔部へ通して結束することを特徴とするケーブル束結束方法。
【請求項９】
前記板片の構成材料を前記結束バンドの構成材料よりも軟質な材料とし、前記ケーブル束結束時に前記板片を前記ケーブル束に沿って湾曲させることを特徴とする請求項８に記載のケーブル束結束方法。
【発明の詳細な説明】
【技術分野】
【０００１】
本発明は、ケーブル束を結束し、またその結束を解除する際のケーブル防護に関する技術である。
【背景技術】
【０００２】
結束バンドは通信ケーブル類の機械室内やキャビネット内における配線工事時にケーブル類を結束するために使用されている。結束バンドは帯状のバンド面にノコ歯状の係止溝を形成し、バンド部分の一端部に形成したバンド通し孔部分に係止爪を設けたものである。その使用形態は、ケーブル類を巻き上げるようにバンド部分でリングを作り、バンド部分先端を前記通し孔に挿通して係止爪を係止溝に係合させることで結束するように使用される。そして、一旦、係止爪が係止溝に係合した後は、締め付けリング径を小さくする締め付け方向にのみ係合を進めることができ、締め込みを緩めることは出来ない構成となっている（特許文献１参照）。従って、結束バンドにより一度結束を行うと、その結束を解除することができない。
【０００３】
しかし、敷設したケーブルの増設や撤去工事が発生すれば、結束バンドを切断し、結束し直す必要が生ずる。結束バンドの切断にはニッパ等が用いられるが、このときニッパの刃先を結束されたケーブルと結束バンドの間にこじ入れて隙間を作り切断を行うため、ニッパの刃先が隙間に入り難く、結束されたケーブルを傷つけたり、誤切断してしまう虞があった。
【０００４】
このような問題を解決するために従来は、防護ヘラと呼ばれる平板を結束バンドとケーブルの間に差し込み、防護ヘラ上に乗った結束バンドをニッパ等で切断するという事が成されてきた。しかし、切断箇所が多くなると、逐一防護ヘラを結束バンドとケーブルとの間に差し込んで切断を行うという行為が煩わしく、また作業効率の低下につながる事が懸念されていた。
【０００５】
これに対して本願出願人は、特許文献２に開示したようなセーフティブロックを提案している。このセーフティブロックは図１４に示すように、ケーブル類に当接する台座４と、この台座４から立設された突片２とから成り、突片２に結束バンドを挿通させる挿通孔３を設ける構成としている。
【０００６】
このセーフティブロック１を用いてケーブル類の結束を行うことによれば、ケーブル類に当接する台座４と、突片２に通された結束バンドとの間に離間空間が形成される。このため、ケーブルを締め上げた状態であっても切断具であるニッパ等の刃先を結束バンドと台座４の間に容易に入り込ますことができ、刃先が誤ってケーブルに接触し、ケーブルを傷つけることも防止することができる。
【先行技術文献】
【特許文献】
【０００７】
【特許文献１】特開２００６−２５４５８９号公報
【特許文献２】特開２００９−１２７９５号公報
【発明の概要】
【発明が解決しようとする課題】
【０００８】
特許文献２に開示したようなセーフティブロックによれば、結束バンドの切断の容易化、および切断具の刃先によるケーブル破損の防止については確実に行うことができる。
【０００９】
しかし、セーフティブロックを使用する場合、少なくとも結束バンドはセーフティブロックにおける台座部分だけ、ケーブルから浮いた状態となる。このためセーフティブロックの前後ではケーブルと結束バンドとの間に空隙ができてしまう。このような状態において、空隙を無くすために結束バンドの締め付けを強めて行くと、台座を支持するケーブルに過度の圧力が加わってしまい、外皮を傷つけるといった可能性がある。
【００１０】
そこで本発明では、上記問題点を解決し、結束バンドによるケーブル類の締め付けが過度に強くなった場合であってもケーブル類を傷つけることが無く、かつ結束バンドの切断を容易にし、切断時においてもケーブル類を傷つける虞の無いケーブルガードスペーサ並びに結束バンド、およびケーブル束結束方法を提供することを目的とする。
【課題を解決するための手段】
【００１１】
上記目的を達成するためのケーブルガードスペーサは、結束対象となるケーブル束と前記ケーブルを結束する結束バンドとの間に配置されてケーブルの表皮を保護すると共に、前記ケーブル束の結束状態に沿って湾曲する板片から成り、
前記板片に少なくとも１つ、前記結束バンドのバンド部分を挿通させるための挿通孔を設けたことを特徴とする。
【００１２】
また、上記のような特徴を有するケーブルガードスペーサでは、前記板片に設ける挿通孔を２つとし、当該２つの挿通孔を前記板片の長手方向中心線に沿って直列に配置することが望ましい。このような特徴を有することにより、板片の中心線と、ケーブルガードスペーサを装着する結束バンドの中心線とをほぼ一致させることができ、かつ２つの孔を利用することにより、高い装着安定性を確保することができる。
【００１３】
また、上記のような特徴を有するケーブルガードスペーサでは、前記板片に設ける挿通孔を３つ以上とし、隣り合う前記挿通孔間には予め定められた間隔を設け、複数の前記挿通孔は前記板片の長手方向中心線に沿って直列に配置するようにしても良い。このような特徴を有することにより、板片の中心線と、ケーブルガードスペーサを装着する結束バンドの中心線とをほぼ一致させることができ、かつ２つの孔を利用することにより、高い装着安定性を確保することができる。また、複数の孔の中から任意の２つの孔を選択することにより、結束するケーブル束の径に応じた孔間隔を確保することが可能となる。
【００１４】
また、上記目的を達成するための結束バンドは、バンド部分と前記バンド部分の一端に設けられたバンド通し孔部を有する結束バンドであって、前記バンド通し孔部または前記バンド部分の延線上に板片を設け、前記板片に少なくとも１つ、前記結束バンドのバンド部分を挿通させるための挿通孔を設けたことを特徴とする。
【００１５】
また、上記のような特徴を有する結束バンドでは、前記板片に設ける挿通孔を２つとし、当該２つの挿通孔を前記板片の長手方向中心線に沿って直列に配置することが望ましい。
また、上記のような特徴を有する結束バンドでは、前記板片に設ける挿通孔を３つ以上とし、隣り合う前記挿通孔間には予め定められた間隔を設け、複数の前記挿通孔は前記板片の長手方向中心線に沿って直列に配置するようにしても良い。
【００１６】
また、上記のような特徴を有する結束バンドにおいて前記板片と前記バンド通し孔部または前記バンド部分との接合部には切り離し部が形成されていることが望ましい。このような構成とすることにより、板片は通常のケーブルガードスペーサを構成する板片と同じ大きさとすることができる。さらに、ケーブルガードスペーサ付結束バンドとしての小型化を図ることができる。
【００１７】
また、上記目的を達成するためのケーブル束結束方法は、バンド部分と前記バンドの一端に設けられたバンド通し孔部を有する結束バンドによりケーブル束を結束する方法であって、結束対象とするケーブル束と結束バンドとの間に板片を介在させ、前記板片に設けられた挿通孔に前記結束バンドにおける前記バンド部分を挿通させた状態で前記バンド部分を前記バンド通し孔部へ通して結束することを特徴とする。
【００１８】
また、上記のような特徴を有するケーブル束結束方法では、前記板片の構成材料を前記結束バンドの構成材料よりも軟質な材料とし、前記ケーブル束結束時に前記板片を前記ケーブル束に沿って湾曲させるようにすることが望ましい。このような方法によれば、板片の角がケーブル束に食い込んでしまう虞が無く、ケーブル保護という点について高い効果を奏することができる。
【発明の効果】
【００１９】
上記のような特徴を有するケーブルガードスペーサによれば、結束バンドによるケーブル類の締め付けが過度に強くなった場合であってもケーブル類を傷つける虞が無い。また、結束バンドの切断が容易となる。さらに結束バンドを切断する際にケーブル類を傷つける虞が無い。
【００２０】
また、上記のような特徴を有する結束バンドによれば、ケーブルガードスペーサを別途用意する必要が無い。さらに、付属のケーブルガードスペーサを用いてケーブル束の結束を行えば、上記ケーブルガードスペーサと同様な効果を得ることができる。
【００２１】
さらに、上記のような特徴を有するケーブル束結束方法によれば、上記ケーブルガードスペーサを使用する効果と同様に、結束バンドによるケーブル類の締め付けが過度に強くなった場合であってもケーブル類を傷つける虞が無い。また、結束バンドの切断が容易となる。また、結束バンドを切断する際にケーブル類を傷つける虞が無い。
【図面の簡単な説明】
【００２２】
【図１】第１の実施形態に係るケーブルガードスペーサを示す図である。
【図２】実施形態に係るケーブルガードスペーサを装着する一般的な結束バンドの形態を示す図である。
【図３】実施形態に係るケーブルガードスペーサを装着した結束バンドの様子を示す図である。
【図４】ケーブルガードスペーサを装着した結束バンドによりケーブル束を結束した様子を示す図である。
【図５】ケーブルガードスペーサを装着した結束バンドによるケーブル束の結束における他の例を示す図である。
【図６】第２の実施形態に係るケーブルガードスペーサを示す図である。
【図７】第３の実施形態に係るケーブルガードスペーサを示す図である。
【図８】第４の実施形態に係るケーブルガードスペーサを示す図である。
【図９】第１の実施形態に係る結束バンドの構成を示す図である。
【図１０】第１の実施形態に係る結束バンドの使用形態例を示す図である。
【図１１】第２の実施形態に係る結束バンドの構成を示す図である。
【図１２】第３の実施形態に係る結束バンドの構成を示す図である。
【図１３】ケーブルガードスペーサを構成する板片の平面形状のバリエーションを示す図である。
【図１４】セーフティブロックの構成を示す斜視図である。
【発明を実施するための形態】
【００２３】
以下、本発明のケーブルガードスペーサ並びに結束バンド、およびケーブル束結束方法に係る実施の形態について、図面を参照して詳細に説明する。
まず、図１を参照して、ケーブルガードスペーサに係る第１の実施形態について説明する。なお、図１において（Ａ）はケーブルガードスペーサの平面図、（Ｂ）は正面図、（Ｃ）は長手方向中心線に沿った断面図、（Ｄ）は側面図、（Ｅ）はａ−ａまたはａ′−ａ′断面を示す図である。
【００２４】
本実施形態に係るケーブルガードスペーサ１０は、板片１２と挿通孔１４ａ，１４ｂとより成る。板片１２は、矩形平板とすれば良く、その厚みは、詳細を後述する結束バンド２０（図２参照）のバンド部分２２と同等、あるいはそれよりも薄くすると良い。構成材料としては、合成樹脂であれば良く、具体的にはポリ塩化ビニルを挙げることができ、さらに好適には軟質のポリ塩化ビニルとすると良い。
【００２５】
ポリ塩化ビニルは耐水性、耐酸性、耐アルカリ性、耐溶剤性等に優れ、絶縁材料であり安価であることより、結束対象とするケーブルを防護するのに適し、かつ加工性に優れているからである。
【００２６】
また、軟質ポリ塩化ビニルは、一般的な結束バンドの構成材料である４６ナイロンや６６ナイロン、ポリプロピレンに比べて軟らかく、結束時においては結束対象となるケーブルに倣った形状に変形しやすく、過度な締め付けによってもケーブルの表皮に負荷を与え難い。また、切断時においてはケーブル表面を保護しつつ、ニッパ等の切断具の刃先をバンド部分の下に潜り込ますように変形させることができる。
【００２７】
挿通孔１４ａ，１４ｂは図１に示すように、１つの板片１２に２つ設けている。挿通孔１４ａ，１４ｂは楕円形を成し、長軸長さは結束バンド２０のバンド部分２２の幅よりも長く、短軸長さは結束バンド２０のバンド部分２２の厚みより長く設定する。このような構成とすることにより、挿通孔１４ａ，１４ｂに結束バンド２０のバンド部分２２を通すことができる。また、挿通孔１４ａ，１４ｂを楕円形状とすることにより、ケーブル締め付け時に負荷される応力が孔の角部に集中してしまう事が無く、締め付け時における挿通孔１４ａ，１４ｂの破損を抑制することができる。
【００２８】
また、２つの挿通孔１４ａ，１４ｂは、板片１２における長手方向両端付近に、長手方向中心線に沿って直列に配置される。このような構成とすることにより、結束バンド２０のバンド部分２２を２つの挿通孔１４ａ，１４ｂに通した際に板片１２の中心線と結束バンド２０の中心線とをほぼ一致させることができ、装着安定性を高めることができる。また、装着安定性を得るという点では、２つの挿通孔１４ａ，１４ｂを利用して結束バンド２０への装着を行うことにより、曲げやねじれなどによってもケーブルガードスペーサ１０と結束バンド２０との間に幅方向のずれを生じさせないという効果も得ることができる。
【００２９】
次に、図２を参照して、上記実施形態に係るケーブルガードスペーサ１０を装着する結束バンドについて説明する。結束バンド２０は、バンド部分２２とバンド通し孔部２６を有する。バンド部分２２にはその表面にノコ歯状の係止溝２４が複数、長手方向に沿って形成されている。バンド通し孔部２６には、貫通孔２８と、貫通孔２８に通したバンド部分２２の係止溝２４を係止するための係止爪３０が設けられている。このような基本構成を有する結束バンド２０の構成材料は上述したように、４６ナイロンや６６ナイロン、ポリプロピレンであることが一般的である。
【００３０】
このような構成の結束バンド２０に対して実施形態に係るケーブルガードスペーサ１０は、図３に示すように装着される。具体的にはまず、ケーブルガードスペーサ１０の挿通孔１４ａに対して、裏側（いずれか一方の面）から結束バンド２０のバンド部分２２を通す。この際、バンド部分２２は、板片１２の端部側から中央側へ向けて挿通させる。挿通孔１４ａに通された事でケーブルガードスペーサ１０の表側（一方の面の反対側の面：他方の面）へ出たバンド部分２２を挿通孔１４ｂに通す事で裏面側へ引き戻す。このように装着することにより、結束バンド２０に曲げやねじれが生じた場合であっても、ケーブルガードスペーサ１０が結束バンド２０の幅方向にずれる事が無い。
【００３１】
図４は、実施形態に係るケーブルガードスペーサ１０を装着した結束バンド２０によりケーブル束５０を結束した様子を示す図である。図４に示すような結束状態は、上述のようにケーブルガードスペーサ１０を装着した結束バンド２０を結束対象とするケーブル束５０に巻きつけ、バンド部分２２をバンド通し孔部２６に通す事で成される。この際、ケーブルガードスペーサ１０を構成する板片１２の少なくとも一部（具体的には中央部）をケーブル５０ａ（ケーブル束５０）とバンド部分２２との間に介在させるようにする。このような配置形態により、ケーブルガードスペーサ１０がその機能を発揮するからである。
【００３２】
上述したように、ケーブルガードスペーサ１０は結束バンド２０を構成する材料よりも軟質な材料であるため、ケーブル結束時に触れるケーブル５０ａ（又はケーブル束５０）の形状に沿って湾曲する。このため、締め付けの荷重が大きくなった場合であっても、接触しているケーブル５０ａに過度の負荷をかける事が無く、ケーブル５０ａを損傷させる虞が無い。
【００３３】
図４に示すようにケーブル５０ａを結束した結束バンド２０を切断する場合には、結束バンド２０を構成するバンド部分２２とケーブルガードスペーサ１０との間に切断具の刃先を滑り込ませてバンド部分２２を切断することとなる。このため、切断具が直接ケーブル５０ａに接触する事が無く、ケーブル５０ａを傷つけたりケーブル５０ａを誤切断してしまう虞が無い。なお、ケーブル束５０を結束後に余ったバンド部分２２は、切断具によりカットされる。これにより、結束したケーブル束５０から余分な突起物がはみ出す事が無くなり、配線の美観を引き立てる事ができる。
【００３４】
結束バンド２０によるケーブル束５０の結束は、図５に示すような形態としても良い。すなわち、結束状態においてバンド通し孔部２６をケーブルガードスペーサ１０上に配置する形態である。このような結束状態は、次のような手順で行う事で成される。
【００３５】
まず、ケーブルガードスペーサ１０の表側から裏側へ、かつ中央側から端部側へ向かうように結束バンド２０のバンド部分２２を挿通孔１４ｂへ通す。次に、挿通孔１４ｂへ通したバンド部分２２をケーブル束５０に巻きつけ、周回させたバンド部分２２をケーブルガードスペーサ１０の裏側から表側へ、かつ中央部へ向かうように挿通孔１４ａへ通す。最後に、挿通孔１４ａを通りケーブルガードスペーサ１０の表側へ出たバンド部分２２をバンド通し孔部２６へ通して締め上げる。このような結束形態であっても、ケーブルガードスペーサ１０がその機能を発揮する上で何ら支障は無い。
【００３６】
次に、本発明のケーブルガードスペーサに係る第２の実施形態について図６を参照して説明する。なお、本実施形態に係るケーブルガードスペーサの殆どの形態は、上述した第１の実施形態に係るケーブルガードスペーサ１０と同様である。よって、その機能を同一とする箇所には図面に同一符号を付して、その詳細な説明は省略する。
【００３７】
本実施形態に係るケーブルガードスペーサ１０ａは、板片における角部にＲを設けたことを特徴とする。このように、角部に丸みを持たせる事により、他のケーブル５０ａや構造物などに引っかかる確率が減る。また、角部を丸める事により接触時の安全性を高める事ができるといった効果もある。なお、その他の構成作用、効果、および使用形態については、上述した第１の実施形態に係るケーブルガードスペーサ１０と同様である。
【００３８】
次に、本発明のケーブルガードスペーサに係る第３の実施形態について図７を参照して説明する。なお、本実施形態に係るケーブルガードスペーサも、その殆どの形態は、上述した第１の実施形態に係るケーブルガードスペーサ１０と同様である。よって、その機能を同一とする箇所には図面に同一符号を付して、その詳細な説明は省略する。
【００３９】
本実施形態に係るケーブルガードスペーサ１０ｂは、第１の実施形態に係るケーブルガードスペーサ１０では２つあった挿通孔を１つの挿通孔１４ａとした事を特徴とする。挿通孔を２つとした場合に比べて装着安定性は劣るものの、結束後のバンド切断時におけるケーブル防護という面においては、必要十分な機能を発揮することができる。このような形態のケーブルガードスペーサ１０ｂでは、第１の実施形態に係るケーブルガードスペーサ１０における２つ目の挿通孔１４ｂ（図１参照）にバンド部分を通さない状態でケーブル束５０を結束するようにして扱えば良い。なお、その他の構成作用、効果、および使用形態については、上述した第１の実施形態に係るケーブルガードスペーサ１０と同様である。
【００４０】
次に本発明のケーブルガードスペーサに係る第４の実施形態について図８を参照して説明する。なお、本実施形態に係るケーブルガードスペーサも、その殆どの形態は、上述した第１の実施形態に係るケーブルガードスペーサ１０と同様である。よって、その機能を同一とする箇所には図面に同一符号を付して、その詳細な説明は省略する。
【００４１】
本実施形態に係るケーブルガードスペーサ１０ｃは、挿通孔を３つ以上（図８の例では６つ）設けた事を特徴とする。複数の挿通孔１４ａ〜１４ｆは、第１の実施形態に係るケーブルガードスペーサ１０と同様に、板片１２の長手方向中心線に沿って直列に配置する。このような構成とすることにより、結束バンド２０のバンド部分２２を任意の２つの挿通孔１４（１４ａ〜１４ｆのいずれか２つ）に通して装着することができる。
【００４２】
また、隣り合う挿通孔間の間隔は、切断具の刃先以上の幅で予め定められた間隔（例えば５ｍｍ間隔）とする。このような構成とすることにより、結束バンド２０の長さや結束するケーブル束５０の径に応じて使用する２つの挿通孔間に任意の間隔をあけることができる。また、ケーブル束５０結束後余剰となった挿通孔部分は、切断具により切断することで結束状態の美観を引き立てる効果も奏する。
【００４３】
上記実施形態では、結束バンド２０とケーブルガードスペーサ１０の構成材料は異なる物を使用し、ケーブルガードスペーサ１０の方が軟質である事を前提として説明した。しかしながら、結束バンド２０とケーブルガードスペーサ１０は同じ構成材料によって作られても良い。この場合、本発明に係る結束バンドは、図９に示すような形態とすることができる。
【００４４】
第１の実施形態に係る結束バンド２０ａは、バンド部分２２とバンド通し孔部２６、および板片１２とを有する。ここで、バンド部分２２とバンド通し孔部２６に関しては、図２に示した結束バンド２０と同様であるため、図面に同一符号を付して詳細な説明は省略する。
【００４５】
板片１２はバンド通し孔部２６に対し、バンド部分２２の延設方向と反対側へ向けて延設される。板片１２には２つの挿通孔１４ａ，１４ｂが設けられ、ケーブルガードスペーサ１０ｄを構成する。板片１２は、バンド部分２２と同等、あるいはバンド部分２２よりも薄く形成されることにより、その可撓性をバンド部分２２と同等、あるいはバンド部分２２以上とすることができる。これによりケーブル結束時においてはケーブル５０ａ（ケーブル束５０）に沿って湾曲することとなり、過度な締め付け時においてもケーブル５０ａを傷つける虞が無い。
【００４６】
図１０に、実施形態に係る結束バンド２０ａによる結束時の使用形態を示す。板片１２におけるバンド通し孔部２６側端部から挿通孔１４ｂまでの距離を、他方の端部から挿通孔１４ａまでの距離に比べて十分に長くすることにより、図１０に示すようにバンド通し孔部２６から板片１２を切り離す事無くケーブルガードスペーサ１０ｄとしての機能を発揮させることができる。
【００４７】
具体的には、バンド通し孔部２６に接続されている板片１２をＳ字状に湾曲させ、湾曲させた状態で２つの挿通孔１４ａ，１４ｂにバンド部分２２を通す。挿通孔１４ａ，１４ｂを通したバンド部分２２をバンド通し孔部２６に通して締め上げを行うという手順で結束を行えば良い。なお、ケーブル結束後必要に応じて、図１０中における破線部分にて板片１２を切断するようにしても良い。
【００４８】
このような構成の結束バンド２０ａによれば、結束バンドを用意することでケーブルガードスペーサも付属されることとなる。このため、在庫管理が楽になり、ケーブルガードスペーサを紛失させるといった虞も無くなる。
【００４９】
次に、結束バンドに係る第２の実施形態について図１１を参照して説明する。図１１に示す結束バンドの殆どの構成は、上述した第１の実施形態に係る結束バンド２０ａと同様である。よってその機能を同一とする箇所には同一符号を付して詳細な説明は省略することとする。なお、図１１において（Ａ）は平面図、（Ｂ）は正面図、（Ｃ）は使用時における平面図である。
【００５０】
本実施形態に係る結束バンド２０ｂは、バンド通し孔部２６にケーブルガードスペーサ１０ｅを構成する板片１２を延設している点は同じであるが、ケーブル束５０を結束する際に、板片１２をバンド通し孔部２６から切り離して使用することを前提としている。このため、バンド通し孔部２６と板片１２との接続部分に切り離し部４０を設けている。切り離し部４０は、他の部位に比べて肉厚を極端に薄くしたり、ミシン目を入れるなどすることで、引っ張りやねじりにより道具を使う事無く切り離す事ができる構成とすることが望ましい。
このような構成としたことにより、第１の実施形態に係る結束バンド２０ａに比べて板片１２の長さを短くすることができる。よって、結束バンド全体としてコンパクト化を図ることができる。
【００５１】
次に、結束バンドに係る第３の実施形態について図１２を参照して説明する。図１２に示す結束バンドの殆どの構成は、上述した第２の実施形態に係る結束バンド２０ｂと同様である。よってその機能を同一とする箇所には同一符号を付して詳細な説明は省略することとする。なお、図１２において（Ａ）は平面図、（Ｂ）は正面図、（Ｃ）は使用時における平面図である。
【００５２】
本実施形態に係る結束バンド２０ｃは、バンド部分２２の延線上にケーブルガードスペーサ１０ｆを構成する板片１２を設け、バンド部分２２の先端に板片１２との切り離し部４０を設けた点を特徴とする。その他の構成、作用、効果については、上述した第２の実施形態に係る結束バンド２０ｂと同様である。
【００５３】
上記実施形態ではいずれも、ケーブルガードスペーサに形成する挿通孔の形状を楕円としている。挿通孔の形状を楕円とする効果については上述したが、結束バンド切断時において結束されたケーブルを防護するという効果を奏するにあたっては、挿通孔を矩形やその他の形状とした場合であっても変わりは無い。
【００５４】
また、結束バンドに係る実施形態では、ケーブルガードスペーサの形態を第１の実施形態に係るケーブルガードスペーサの形態として示しているが、第２〜第４の実施形態に係るケーブルガードスペーサであっても良い。
【００５５】
また、上記実施形態ではいずれも、板片１２について矩形をベースとした平面形状であるように図面に示した。しかしながら板片１２の形状は矩形をベースとしたものに限らず、図１３に示すように平面形状を長円形状（図１３（Ａ））や楕円形状（図１３（Ｂ））とするものであっても良く、図１３（Ｃ）に示すように部分的にくびれを有するような平面形状であっても良い。
【符号の説明】
【００５６】
１０………ケーブルガードスペーサ、１２………板片、１４ａ，１４ｂ………挿通孔、２０………結束バンド、２２………バンド部分、２４………係止溝、２６………バンド通し孔部、２８………貫通孔、３０………係止爪、５０………ケーブル束、５０ａ………ケーブル。
【図１】
2011050139.tif 000003
【図２】
2011050139.tif 000004
【図３】
2011050139.tif 000005
【図４】
2011050139.tif 000006
【図５】
2011050139.tif 000007
【図６】
2011050139.tif 000008
【図７】
2011050139.tif 000009
【図８】
2011050139.tif 000010
【図９】
2011050139.tif 000011
【図１０】
2011050139.tif 000012
【図１１】
2011050139.tif 000013
【図１２】
2011050139.tif 000014
【図１３】
2011050139.tif 000015
【図１４】
2011050139.tif 000016